(57)【要約】本発明は、免疫特権を有した抗体に対する個人毎の細胞免疫応答性の存在および程度を決定する方法に関する。この方法は細胞免疫応答性が病理学的な症状と直接もしくは間接的に関連する方法であり、個人の体液サンプルにおいて、免疫特権を有した抗体に特有のＴリンパ球の存在および程度を測定することからなる。【特許請求の範囲】
【請求項１】
免疫特権を有した抗体に対する個人毎の細胞免疫応答性の存在および程度を決定する方法であって、前記細胞免疫応答性が病理学的な症状と直接もしくは間接的に関連している方法が、前記個人の体液サンプルにおいて、免疫特権を有した抗体に特有のＴリンパ球の存在および程度を測定することからなることを特徴とする方法。
【発明の詳細な説明】
【０００１】
【発明の属する技術分野】
政府によるサポート
本発明に関連する研究は、少なくとも一部が国防省、Ｂｒｅａｓｔ Ｃａｎｃｅｒ Ｒｅｓｅａｒｃｈ Ａｗａｒｄ ＮＯ．ＤＡＭＤ０１７−９４−Ｊ−４２７７、Ｎａｔｉｏｎａｌ Ｉｎｓｔｉｔｕｔｅｓ ｏｆ Ｈｅａｌｔｈ Ａｗａｒｄ Ｎｏ．Ｍ０１ ＰＲ００１０２、および Ｎａｔｉｏｎａｌ Ｍｕｌｔｉｐｌｅ Ｓｅｌｅｒｏｓｉｓ Ｓｏｃｉｅｔｙ から許可を得て支持されている。このため、政府がこの発明について所定の権利を有する。
【０００２】
発明の分野
本発明は、免疫特権を有した抗体に対する細胞免疫およびその役割の開発に基づく診断および治療方法に関する。
【図面の簡単な説明】
【図１】
患者の血清およびＣＦＳ因子のウエスタンブロット解析結果を示す図である。
【国際公開パンフレット】
2004510950.tif 000002
2004510950.tif 000003
2004510950.tif 000004
2004510950.tif 000005
2004510950.tif 000006
2004510950.tif 000007
2004510950.tif 000008
2004510950.tif 000009
2004510950.tif 000010
2004510950.tif 000011
2004510950.tif 000012
2004510950.tif 000013
2004510950.tif 000014
2004510950.tif 000015
2004510950.tif 000016
2004510950.tif 000017
2004510950.tif 000018
2004510950.tif 000019
2004510950.tif 000020
2004510950.tif 000021
2004510950.tif 000022
2004510950.tif 000023
2004510950.tif 000024
2004510950.tif 000025
2004510950.tif 000026
2004510950.tif 000027
2004510950.tif 000028
2004510950.tif 000029
2004510950.tif 000030
2004510950.tif 000031
2004510950.tif 000032
2004510950.tif 000033
2004510950.tif 000034
2004510950.tif 000035
2004510950.tif 000036
2004510950.tif 000037
2004510950.tif 000038
2004510950.tif 000039
2004510950.tif 000040
2004510950.tif 000041
2004510950.tif 000042
2004510950.tif 000043
2004510950.tif 000044
2004510950.tif 000045
2004510950.tif 000046
2004510950.tif 000047
2004510950.tif 000048
2004510950.tif 000049
2004510950.tif 000050
2004510950.tif 000051
2004510950.tif 000052
2004510950.tif 000053
2004510950.tif 000054
2004510950.tif 000055
2004510950.tif 000056
2004510950.tif 000057
2004510950.tif 000058
2004510950.tif 000059
2004510950.tif 000060
2004510950.tif 000061
2004510950.tif 000062
2004510950.tif 000063
2004510950.tif 000064
2004510950.tif 000065
2004510950.tif 000066
2004510950.tif 000067
2004510950.tif 000068
2004510950.tif 000069
2004510950.tif 000070
2004510950.tif 000071
2004510950.tif 000072
2004510950.tif 000073
2004510950.tif 000074
2004510950.tif 000075
2004510950.tif 000076
2004510950.tif 000077
2004510950.tif 000078
【国際公開パンフレット（コレクトバージョン）】
2004510950.tif 000079
2004510950.tif 000080
【国際公開パンフレット（コレクトバージョン）】
2004510950.tif 000081
2004510950.tif 000082
2004510950.tif 000083
2004510950.tif 000084
2004510950.tif 000085
2004510950.tif 000086
2004510950.tif 000087
2004510950.tif 000088
2004510950.tif 000089
2004510950.tif 000090
2004510950.tif 000091
2004510950.tif 000092
2004510950.tif 000093
2004510950.tif 000094
2004510950.tif 000095
2004510950.tif 000096
2004510950.tif 000097
2004510950.tif 000098
2004510950.tif 000099
2004510950.tif 000100
2004510950.tif 000101
2004510950.tif 000102
2004510950.tif 000103
2004510950.tif 000104
2004510950.tif 000105
2004510950.tif 000106
2004510950.tif 000107
2004510950.tif 000108
2004510950.tif 000109
2004510950.tif 000110
2004510950.tif 000111
2004510950.tif 000112
2004510950.tif 000113
2004510950.tif 000114
2004510950.tif 000115
2004510950.tif 000116
2004510950.tif 000117
2004510950.tif 000118
2004510950.tif 000119
2004510950.tif 000120
2004510950.tif 000121
2004510950.tif 000122
2004510950.tif 000123
2004510950.tif 000124
2004510950.tif 000125
2004510950.tif 000126
2004510950.tif 000127
2004510950.tif 000128
2004510950.tif 000129
2004510950.tif 000130
2004510950.tif 000131
2004510950.tif 000132
2004510950.tif 000133
2004510950.tif 000134
2004510950.tif 000135
2004510950.tif 000136
2004510950.tif 000137
2004510950.tif 000138
2004510950.tif 000139
2004510950.tif 000140
2004510950.tif 000141
2004510950.tif 000142
2004510950.tif 000143
2004510950.tif 000144
2004510950.tif 000145
2004510950.tif 000146
2004510950.tif 000147
2004510950.tif 000148
2004510950.tif 000149
2004510950.tif 000150
2004510950.tif 000151
2004510950.tif 000152
2004510950.tif 000153
2004510950.tif 000154
2004510950.tif 000155
2004510950.tif 000156
2004510950.tif 000157
【国際調査報告】
2004510950.tif 000158
2004510950.tif 000159
2004510950.tif 000160
2004510950.tif 000161
2004510950.tif 000162